(57)【特許請求の範囲】
【請求項１】
挿入口と引出口とが設けられた本体ケースと、前記本体ケースに内設された回動軸と、前記回動軸に着脱されるロック部と、前記回動軸と前記本体ケースの引出口の間に配設された一対の圧着ローラと、を有し、テープ状のラミネートフィルムが筒状に巻回されたラミネート小巻を前記回動軸に装入した状態で前記ロック部を前記回動軸に取り付けることにより、前記ラミネート小巻を前記本体ケース内で回動可能に支持し、前記本体ケースの挿入口に差し込まれたラベルを前記一対の圧着ローラにより貼り合わせた状態で前記ラミネート小巻のラミネートフィルムが前記本体ケースの引出口から引き出されるラベル用ラミネート装置であって、
前記本体ケースの挿入口から前記一対の圧着ローラまでの全範囲で前記本体ケース内に立設された第１ガイド壁を備え、
前記ロック部は、
平板部と、
前記平板部に立設された第２ガイド壁と、を備え、
前記回動軸に前記ラミネート小巻を装入した状態で前記ロック部を前記回動軸に取り付けると、以下（１）〜（３）のようにセッティングされ、
（１）前記回動軸から前記一対の圧着ローラまでの範囲と前記一対の圧着ローラから前記本体ケースの引出口までの範囲で、前記平板部の表面を介在させ、
（２）前記本体ケースの挿入口から前記一対の圧着ローラまでの全範囲で前記第１ガイド壁と前記第２ガイド壁とが互いに向かい合うことにより前記平板部と前記本体ケースとの間にガイド経路を形成し、前記本体ケースの挿入口に差し込まれたラベルを前記ガイド経路で前記一対の圧着ローラにまで導き、
（３）前記平板部と前記本体ケースとが前記ラミネート小巻を挟んだ状態になることで、前記ラミネート小巻のラミネートフィルムが引き出されながら前記一対の圧着ローラへ向かって通っていく引出経路が前記ガイド経路の真上に形成され、前記ガイド経路の幅と前記引出経路の幅とが同一であること、
を特徴とするラベル用ラミネート装置。
【請求項２】
請求項１に記載のラベル用ラミネート装置であって、
前記第１ガイド壁と前記第２ガイド壁は、
互いに対向する長片部材と短片部材の一組でそれぞれ構成され、
前記各長片部材は、前記各短片部材よりも前記ラミネート小巻に近い側で、且つ、前記本体ケースの挿入口から前記一対の圧着ローラまでの全範囲で、それぞれ立設され、
前記各短片部材は、前記本体ケースの挿入口から前記各長片部材にそれぞれ近づけながら立設されたこと、
を特徴とするラベル用ラミネート装置。
【請求項３】
請求項１又は請求項２に記載のラベル用ラミネート装置であって、
前記ロック部は、前記平板部の一縁部分に立設された縁端片を備え、
前記回動軸に前記ラミネート小巻を装入した状態で前記ロック部を前記回動軸に取り付けると、以下（３）のようにセッティングされ、
（３）前記ラミネート小巻が存在する側とは反対の側に前記縁端片が配置されることにより、前記本体ケースの挿入口の一部を前記縁端片で閉塞すること、
を特徴とするラベル用ラミネート装置。
【発明の詳細な説明】
【技術分野】
【０００１】
本発明は、ラミネート小巻に巻回されたテープ状のラミネートフィルムをラベルに貼り合わせるラベル用ラミネート装置に関するものである。
【背景技術】
【０００２】
従来のラベルには、印字面が露出するレセプタ型のラベルと、ラミネートフィルムが印字面に貼り合わされたラミネート型のラベルがある（例えば、特許文献１参照）。
【０００３】
さらに、後者であるラミネート型のラベルには、ラベルライタで製作されるものと、先ず、印字面が露出したラベルをラベルライタで製作し、その後、そのラベルに対しラベル用ラミネート装置でラミネートフィルムを貼り合わせることによって製作されるものとがある。
【０００４】
この点、ラベル用ラミネート装置では、テープ状のラミネートフィルムが筒状に巻回されたラミネート小巻を回動可能に支持している。そのラミネート小巻からラミネートフィルムが引き出される。その引き出されたラミネートフィルムがラベルの印字面に突き合わされながら、ラミネートフィルムとラベルが一対の圧着ローラ間に通される。これにより、ラベルに対しラミネートフィルムが貼り合わされる。
【０００５】
このとき、ラミネートフィルムをラベルの印字面に突き合わさせる際には、ラベル用ラミネート装置に設けられた挿入口に沿ってラベルを奧にまで差し込んでいた。
【特許文献１】特開２００５−１０４６２２号公報（第７頁、第４−５図）
【発明の開示】
【発明が解決しようとする課題】
【０００６】
しかしながら、これでは、例えば、比較的長いラベルを挿入口に差し込んだ場合には、ラミネートフィルムがラベルの印字面に突き合わされる以前に、ラベルがその長尺方向で撓んだり、ラベルがその幅方向にすべったりする等のおそれがある。このため、ラミネートフィルムとラベルが貼り合わされた際には、ラミネートフィルムとラベルのズレが大きくなることがあった。
【０００７】
そこで、本発明は、上述した点を鑑みてなされたものであり、ラミネートフィルムとラベルが貼り合わされた際にできるラミネートフィルムとラベルのズレを抑えることができる新たな機構を備えたラベル用ラミネート装置を提供することを課題とする。
【課題を解決するための手段】
【０００８】
この課題を解決するために成された請求項１に係る発明は、挿入口と引出口とが設けられた本体ケースと、前記本体ケースに内設された回動軸と、前記回動軸に着脱されるロック部と、前記回動軸と前記本体ケースの引出口の間に配設された一対の圧着ローラと、を有し、テープ状のラミネートフィルムが筒状に巻回されたラミネート小巻を前記回動軸に装入した状態で前記ロック部を前記回動軸に取り付けることにより、前記ラミネート小巻を前記本体ケース内で回動可能に支持し、前記本体ケースの挿入口に差し込まれたラベルを前記一対の圧着ローラにより貼り合わせた状態で前記ラミネート小巻のラミネートフィルムが前記本体ケースの引出口から引き出されるラベル用ラミネート装置であって、前記本体ケースの挿入口から前記一対の圧着ローラまでの全範囲で前記本体ケース内に立設された第１ガイド壁を備え、前記ロック部は、平板部と、前記平板部に立設された第２ガイド壁と、を備え、前記回動軸に前記ラミネート小巻を装入した状態で前記ロック部を前記回動軸に取り付けると、以下（１）〜（３）のようにセッティングされ、（１）前記回動軸から前記一対の圧着ローラまでの範囲と前記一対の圧着ローラから前記本体ケースの引出口までの範囲で、前記平板部の表面を介在させ、（２）前記本体ケースの挿入口から前記一対の圧着ローラまでの全範囲で前記第１ガイド壁と前記第２ガイド壁とが互いに向かい合うことにより前記平板部と前記本体ケースとの間にガイド経路を形成し、前記本体ケースの挿入口に差し込まれたラベルを前記ガイド経路で前記一対の圧着ローラにまで導き、（３）前記平板部と前記本体ケースとが前記ラミネート小巻を挟んだ状態になることで、前記ラミネート小巻のラミネートフィルムが引き出されながら前記一対の圧着ローラへ向かって通っていく引出経路が前記ガイド経路の真上に形成され、前記ガイド経路の幅と前記引出経路の幅とが同一であること、を特徴とする。
【０００９】
また、請求項２に係る発明は、請求項１に記載のラベル用ラミネート装置であって、前記第１ガイド壁と前記第２ガイド壁は、互いに対向する長片部材と短片部材の一組でそれぞれ構成され、前記各長片部材は、前記各短片部材よりも前記ラミネート小巻に近い側で、且つ、前記本体ケースの挿入口から前記一対の圧着ローラまでの全範囲で、それぞれ立設され、前記各短片部材は、前記本体ケースの挿入口から前記各長片部材にそれぞれ近づけながら立設されたこと、を特徴とする。
【００１０】
また、請求項３に係る発明は、請求項１又は請求項２に記載のラベル用ラミネート装置であって、前記ロック部は、前記平板部の一縁部分に立設された縁端片を備え、前記回動軸に前記ラミネート小巻を装入した状態で前記ロック部を前記回動軸に取り付けると、以下（３）のようにセッティングされ、（３）前記ラミネート小巻が存在する側とは反対の側に前記縁端片が配置されることにより、前記本体ケースの挿入口の一部を前記縁端片で閉塞すること、を特徴とする。
【発明の効果】
【００１１】
すなわち、請求項１に係る発明のラベル用ラミネート装置では、回動軸にラミネート小巻を装入した状態でロック部を回動軸に取り付けると、回動軸から一対の圧着ローラまでの範囲と一対の圧着ローラから本体ケースの引出口までの範囲で、平板部の表面を介在させ、本体ケースの挿入口から一対の圧着ローラまでの全範囲で第１ガイド壁と第２ガイド壁とが互いに向かい合うことによりガイド経路を形成し、本体ケースの挿入口に差し込まれたラベルをガイド経路で一対の圧着ローラにまで導くので、ラミネート小巻のラミネートフィルム及びラベルを、その長尺方向で伸びきった状態で、且つ、その幅方向ですべることなく、本体ケース内で移動させることができる。これにより、ラミネートフィルムとラベルが貼り合わされた際にできるラミネートフィルムとラベルのズレを抑えることができる。
【００１２】
また、請求項２に係る発明のラベル用ラミネート装置では、第１ガイド壁と第２ガイド壁を、互いに対向する長片部材と短片部材の一組でそれぞれ構成し、各長片部材は、各短片部材よりもラミネート小巻に近い側で、且つ、本体ケースの挿入口から一対の圧着ローラまでの全範囲で、それぞれ立設し、各短片部材は、本体ケースの挿入口から各長片部材にそれぞれ近づけながら立設しているので、より一層に、ラベルを、その長尺方向で伸びきった状態で、且つ、その幅方向ですべることなく、本体ケース内で移動させることができる。
【００１３】
また、請求項３に係る発明のラベル用ラミネート装置では、回動軸にラミネート小巻を装入した状態でロック部を回動軸に取り付けると、ラミネート小巻が存在する側とは反対の側に縁端片が配置されることにより、本体ケースの挿入口の一部を縁端片で閉塞するので、本体ケースの挿入口の幅が、回動軸に装入されたラミネート小巻のラミネートフィルムの幅と同一となる。これにより、回動軸に装入されたラミネート小巻のラミネートフィルムの幅よりも大きな幅を有するラベルが本体ケースの挿入口に差し込まれることを防止する。従って、回動軸に装入されたラミネート小巻のラミネートフィルムを貼り合わせるのに適した幅のラベルをユーザが本体ケースの挿入口に差し込むように仕向けることができる。
【発明を実施するための最良の形態】
【００１４】
〔１．ラベル用ラミネート装置の外観〕
以下、本発明の実施の形態を図面を参照にして説明する。図１は、本発明の一実施形態に係るラベル用ラミネート装置１を示した外観斜視図である。図１に示すように、本実施の形態に係るラベル用ラミネート装置１は、本体ケース２や、蓋３、一対の押下部６，７等で構成されている。本体ケース２には、蓋３が取り付けられている。さらに、本体ケース２には、ラベルＬが差し込まれる挿入口４や、ラミネートフィルムＦ又はラミネートフィルムＦが貼り合わされたラベルＬが引き出される引出口５等が設けられている。引出口５からは、まな板８が露見している。
【００１５】
図２は、本実施の形態に係るラベル用ラミネート装置１を示した外観斜視図である。図３は、本実施の形態に係るラベル用ラミネート装置１を示した平面図である。図４は、本実施の形態に係るラベル用ラミネート装置１を挿入口４の側から示した側面図である。図５は、本実施の形態に係るラベル用ラミネート装置１を引出口５の側から示した側面図である。尚、図２乃至図５は、いずれも、蓋３（上記図１参照）を本体ケース２から外した際の本実施の形態に係るラベル用ラミネート装置１を示している。
【００１６】
図２や図３に示すように、本実施の形態に係るラベル用ラミネート装置１は、本体ケース２において、ラミネート小巻１１や、ロック部１２、回動軸１３、一対の圧着ローラ１４，１５等を有している。ラミネート小巻１１には、テープ状のラミネートフィルムＦが筒状の巻芯に巻回されている。回動軸１３に対しては、ラミネート小巻１１が装入され、さらに、ロック部１２が取り付けられている。これにより、ラミネート小巻１１が本体ケース２内で回動可能に支持される。
【００１７】
ラミネート小巻１１のラミネートフィルムＦは、一対の圧着ローラ１４，１５の間を通して、本体ケース２の引出口５から延出される。
【００１８】
尚、ロック部１２は、回動軸１３に設けられた溝部２５（図２参照）やロック部１２に設けられた係止部４２（図３参照）によって、回動軸１３に対して着脱可能にされる。また、回動軸１３にロック部１２が取り付けられると、図４に示すように、本体ケース２の挿入口４の一部が、ロック部１２に設けられた縁端片４７（図３参照）によって閉塞される。
【００１９】
さらに、本実施の形態に係るラベル用ラミネート装置１では、図２乃至図５に示すように、本体ケース２の挿入口４にラベルＬが差し込まれると（図２，図３，図４参照）、長片ガイドリブ２１，４５と短片ガイドリブ２２，４６で形成されたガイド経路１０２内をラベルＬが移動するので、ラベルＬは、一対の圧着ローラ１４，１５の間付近まで案内される。従って、本体ケース２の挿入口４にラベルＬが差し込まれた後で、本体ケース２の引出口５から延出されているラミネート小巻１１のラミネートフィルムＦが引き出されると、一対の圧着ローラ１４，１５間を通ることによって、ラベルＬとラミネート小巻１１のラミネートフィルムＦが貼り合わされる（図２，図３参照）。さらに、ラミネート小巻１１のラミネートフィルムＦが本体ケース２の引出口５から引き出されることに続いて、ラベルＬが貼り合わされたラミネート小巻１１のラミネートフィルムＦが、本体ケース２の引出口５から引き出される（図２，図３，図５参照）。
【００２０】
ラベルＬの全部が本体ケース２の引出口５から引き出された後は、一対の押下部６，７が押下されれば、カッター５２（図３参照）やまな板８（図２，図３，図５参照）によって、ラベルＬに貼り合わされたラミネートフィルムＦを、ラミネート小巻１１のラミネートフィルムＦから分離させることができる。これにより、ラベルＬにラミネートフィルムＦが貼り合わされたラミネート型のラベルを製作することができる。
【００２１】
〔２．本体ケースの概要〕
ここで、本体ケース２の概要について説明する。図６は、本体ケース２を示した平面図である。図７は、本体ケース２を挿入口４の側から示した側面図である。図８は、本体ケース２を引出口５の側から示した側面図である。図９は、図６の線Ａ−Ａでの断面図である。図１０は、図６の線Ｂ−Ｂでの断面図である。
【００２２】
図６乃至図８に示すように、本体ケース２には、挿入口４や引出口５が設けられている。また、本体ケース２には、一対の押下部６，７や、円筒状の回動軸１３、長片ガイドリブ２１、短片ガイドリブ２２、一対のローラ保持部２３，２４等が立設されている。図９や図１０にも示すように、回動軸１３には、溝部２５が設けられている。さらに、溝部２５には、図９に示すように、３つの係着部２６Ａ，２６Ｂ，２６Ｃが設けられている。
【００２３】
この点、本実施の形態に係るラベル用ラミネート装置１では、回動軸１３に装入され得るラミネート小巻１１のラミネートフィルムＦのテープ幅は、９ｍｍと１２ｍｍと１８ｍｍの３種類ある。係着部２６Ａは、ラミネートフィルムＦのテープ幅が９ｍｍのラミネート小巻１１が回動軸１３に装入された際に使用される。係着部２６Ｂは、ラミネートフィルムＦのテープ幅が１２ｍｍのラミネート小巻１１が回動軸１３に装入された際に使用される。係着部２６Ｃは、ラミネートフィルムＦのテープ幅が１８ｍｍのラミネート小巻１１が回動軸１３に装入された際に使用される。
【００２４】
図６に戻り、長片ガイドリブ２１と短片ガイドリブ２２は、挿入口４を挟んで本体ケース２に設けられている。長片ガイドリブ２１は、短片ガイドリブ２２よりも、ラミネート小巻１１が装入される回動軸１３に近い側に設けられている。さらに、長片ガイドリブ２１は、挿入口４から一対のローラ保持部２３，２４付近にまで設けられている。一方、短片ガイドリブ２２は、挿入口４から長片ガイドリブ２１の半分付近にまで、長片ガイドリブ２１に漸次近づくように設けられている。図７に示すように、長片ガイドリブ２１と短片ガイドリブ２２の高さＨ１は、４ｍｍで同じである。長片ガイドリブ２１と短片ガイドリブ２２で、「第１ガイド壁」を構成する。
【００２５】
〔３．カッター部の概要〕
図６に戻り、本体ケース２に設けられた押下部６には、スペーサＫ１を介して、カッター固定部５１が固定されている。カッター固定部５１には、カッター５２が固定されている。カッター５２は、引出口５から見えない位置をホームポジションとする。そして、押下部６が押下されると、カッター５２は、そのホームポジションから移動し、引出口５から露見する。また、押下部６に対する押下を解除すると、カッター５２は、そのホームポジションに戻る。以下、カッター５２の移動機構について説明する。
【００２６】
図１１は、カッター５２の移動機構を示した平面図である。図１１に示すように、本体２と押下部６との間には、コイルバネＳ１が係止されている。よって、押下部６が押下されると、コイルバネＳ１の復元力に対抗しながら、押下部６とともにスペーサＫ１やカッター固定部５１が押下方向に移動する。よって、カッター固定部５１に固定されているカッター５２は、ホームポジションから移動して引出口５から露見するとともに、まな板８に当接する。一方、押下部６に対する押下を解除すると、コイルバネＳ１の復元力によって、押下部６とともにスペーサＫ１やカッター固定部５１が反押下方向に移動する。そして、押下部６が本体ケース２に当接することにより、押下部６とともにスペーサＫ１やカッター固定部５１の移動が制止され、カッター５２はホームポジションに戻る。
【００２７】
〔４．まな板部の概要〕
図６に戻り、本体ケース２に設けられた押下部７には、スペーサＫ２を介して、まな板固定部５３が固定されている。まな板固定部５３には、まな板８が固定されている。まな板８は、引出口５から見える位置をホームポジションとする。そして、押下部７が押下されると、まな板８は、そのホームポジションから移動する。また、押下部７に対する押下を解除すると、まな板８は、そのホームポジションに戻る。以下、まな板８の移動機構について説明する。
【００２８】
図１２は、まな板８の移動機構を示した平面図である。図１２に示すように、本体２と押下部７との間には、コイルバネＳ２が係止されている。よって、押下部７が押下されると、コイルバネＳ２の復元力に対抗しながら、押下部７とともにスペーサＫ２やまな板固定部５３が押下方向に移動する。よって、まな板固定部５３に固定されているまな板８は、ホームポジションから移動して、引出口５又はカッター５２に当接する。このとき、まな板８とカッター５２が当接すれば、引出口５から引き出されているラミネートフィルムＦを切断することができる。一方、押下部７に対する押下を解除すると、コイルバネＳ２の復元力によって、押下部７とともにスペーサＫ２やまな板固定部５３が反押下方向に移動する。そして、押下部７が本体ケース２に当接することにより、押下部７とともにスペーサＫ２やまな板固定部５３の移動が制止され、まな板８はホームポジションに戻る。
【００２９】
〔５．ロック部の概要〕
次に、ロック部１２の概要について説明する。図１３は、ロック部１２を示した正面図である。図１４は、ロック部１２を示した背面図である。図１５は、図１３の線Ｃ−Ｃでの断面図である。図１６は、図１３の線Ｄ−Ｄでの断面図である。
【００３０】
図１３乃至図１６に示すように、ロック部１２は平板部４８を有している。平板部４８には、その背面側にて円筒部４１が立設されている。円筒部４１の中空部分は、平板部４８を貫いている。円筒部４１の内側には、一対の係止部４２が設けられている。また、平板部４８には、鉤部４４や縁端片４７が形成されている。縁端片４７は、平板部４８の正面側にて立設されている。
【００３１】
また、平板部４８には、長片ガイドリブ４５や短片ガイドリブ４６が立設されている。長片ガイドリブ４５は、短片ガイドリブ４６よりも、円筒部４１に近い側に設けられている。長片ガイドリブ４５は、縁端片４７から鉤部４４にまで設けられている。一方、短片ガイドリブ４６は、縁端片４７から長片ガイドリブ４５の半分付近にまで、長片ガイドリブ４５に漸次近づくように設けられている。長片ガイドリブ４５と短片ガイドリブ４６の高さは、４ｍｍで同じである。この高さは、本体ケース２の長片ガイドリブ２１と短片ガイドリブ２２の高さＨ１に等しい。長片ガイドリブ４５と短片ガイドリブ４６で、「第２ガイド壁」を構成する。
【００３２】
〔６．蓋の概要〕
次に、蓋３の概要について説明する。図１７は、蓋３を示した正面図である。図１８は、蓋３を示した背面図である。図１９は、図１７の矢視Ｅから蓋３を示した図である。図２０は、図１７の矢視Ｇから蓋３を示した図である。
【００３３】
図１７乃至図２０に示すように、蓋３には、円環部３１や、一対のローラ保持部３２，３３、突縁部３４，３５，３６，３７、支持部３８が立設されている。突縁部３４，３５の高さは突縁部３６，３７よりも低い。突縁部３４と突縁部３５には間隔が開いている。突縁部３６と突縁部３７には間隔が開いている。一方、突縁部３４と突縁部３７は連接されている。突縁部３５と突縁部３６は連接されている。
【００３４】
本体ケース２に対して蓋３が取り付けられると、円環部３１には、本体ケース２の回動軸１３が嵌め込まれる。一対のローラ保持部３２，３３には、一対の圧着ローラ１４，１５の各回動軸が軸着される。突縁部３４，３５，３６，３７には、本体ケース２の側面内側が接面される。支持部３８の先端には、ロック部１２の鉤部４４が突き当たる。突縁部３４と突縁部３５の間には、本体ケース２の挿入口４及びロック部１２の縁端片４７が配置される。突縁部３４と突縁部３７の間には、本体ケース２の引出口５等が配置される。
【００３５】
〔７．ラベル用ラミネート装置の組立〕
次に、本実施の形態に係るラベル用ラミネート装置１の組み立てについて説明する。本実施の形態に係るラベル用ラミネート装置１の組み立ては、本体ケース２に対して蓋３が取り付けられることによって完成する。もっとも、その取り付けの前には、本体ケース２内において、以下の組み立てが行われる。
【００３６】
先ず、本体ケース２に対して、一対の圧着ローラ１４，１５とラミネート小巻１１が取り付けられる。本体ケース２に設けられた一対のローラ保持部２３，２４に対して、一対の圧着ローラ１４，１５の各回動軸が軸着されることにより、一対の圧着ローラ１４，１５が取り付けられる。ラミネート小巻１１は、本体ケース２に設けられた回動軸１３に装入される。
【００３７】
その後は、本体ケース２に対してロック部１２が取り付けられることによって、図２や図３に示すような状態（ラベルＬを除く）にする。このとき、ロック部１２の円筒部４１が本体ケース２の回動軸１３に嵌め込まれ、回動軸１３の溝部２５に設けられた３つの係着部２６Ａ，２６Ｂ，２６Ｃのいずれかに円筒部４１の係止部４２が係合される。３つの係着部２６Ａ，２６Ｂ，２６Ｃのうち円筒部４１の係止部４２の係合対象となるものは、上述しように、回動軸１３に装入されているラミネート小巻１１のラミネートフィルムＦのテープ幅に応じて決定される。これにより、ラミネート小巻１１は、本体ケース２とロック部１２の平板部４８で挟まれた状態になる。
【００３８】
また、図２や図３に示すような状態（ラベルＬを除く）では、一対の圧着ローラ１４，１５がロック部１２の鉤部４４に取り囲まれている。また、回動軸１３に装入されているラミネート小巻１１が存在する側（図面の上側）とは反対の側（図面の下側）にロック部１２の縁端片４７が配置されており、本体ケース２の挿入口４の一部がロック部１２の縁端片４７で閉塞される。
【００３９】
〔８．ガイド経路の概要〕
さらに、本体ケース２の「第１ガイド壁」を構成する長片ガイドリブ２１と短片ガイドリブ２２とが、ロック部１２の「第２ガイド壁」を構成する長片ガイドリブ４５と短片ガイドリブ４６とに対して間隔を開けて対向する。このとき、図３に示すように、各長片ガイドリブ２１，４５は、各短片ガイドリブ２２，４６よりもラミネート小巻１１に近い側に位置する。
【００４０】
図２１は、本実施の形態に係るラベル用ラミネート装置１が組み立てられた際の「第１ガイド壁」と「第２ガイド壁」の対向関係を示した図である。図２１に示すように、本体ケース２に設けられた長片ガイドリブ２１と短片ガイドリブ２２は、双方とも高さＨ１である。また、ロック部１２の平板部４８に設けられた長片ガイドリブ４５と短片ガイドリブ４６は、双方とも高さＨ２である。上述したように、高さＨ１，Ｈ２は同じである。
【００４１】
ところで、本体ケース２とロック部１２の平板部４８の間には、上述したように、本体ケース２の回動軸１３に装入されたラミネート小巻１１が挟まれた状態にある。従って、本体ケース２とロック部１２の平板部４８の最短距離Ｈ３は、そのラミネート小巻１１のラミネートフィルムＦのテープ幅と同じとなる。よって、その最短距離Ｈ３は、ラミネート小巻１１のラミネートフィルムＦのテープ幅によって変動する。
【００４２】
しかしながら、本実施の形態に係るラベル用ラミネート装置１では、本体ケース２の回動軸１３に装入され得るラミネート小巻１１を、そのラミネートフィルムＦのテープ幅をもって制限しているので、Ｈ３＞Ｈ１＋Ｈ２の関係が維持される。これにより、ラミネートフィルムＦのテープ幅が異なったラミネート小巻１１が回動軸１３に装入されても、本体ケース２の長片ガイドリブ２１及び短片ガイドリブ２２とロック部１２の長片ガイドリブ４５及び短片ガイドリブ４６との間には、常に、間隔１０１が形成される。その間隔１０１の最短距離は、Ｈ３−（Ｈ１＋Ｈ２）で求められる。
【００４３】
ここでは、高さＨ１，Ｈ２を上述したように４ｍｍとした場合の間隔１０１の最短距離を例示する。ラミネート小巻１１のラミネートフィルムＦのテープ幅が９ｍｍのときは、距離Ｈ３も９ｍｍとなるので、間隔１０１の最短距離は、９ｍｍ−（４ｍｍ＋４ｍｍ）＝１ｍｍとなる。ラミネート小巻１１のラミネートフィルムＦのテープ幅が１２ｍｍのときは、同様に算出すると、間隔１０１の最短距離は４ｍｍとなる。ラミネート小巻１１のラミネートフィルムＦのテープ幅が１８ｍｍのときは、同様に算出すると、間隔１０１の最短距離は１０ｍｍとなる。
【００４４】
このようにして、本体ケース２の挿入口４から一対の圧着ローラ１４，１５までには、長片ガイドリブ２１，４５と短片ガイドリブ２２，４６等によって、本体ケース２の挿入口４に差し込まれたラベルＬが一対の圧着ローラ１４，１５にまで導かれるガイド経路１０２が形成される（図３参照）。
【００４５】
〔９．本体ケースの挿入口とラミネート小巻のラミネートフィルムのテープ幅の相関関係〕
また、本体ケース２の挿入口４の一部がロック部１２の縁端片４７で閉塞されることで、挿入口４の幅は、本体ケース２の回動軸１３に装入されたラミネート小巻１１のラミネートフィルムＦのテープ幅と同じとなる。図２２は、蓋３（上記図１参照）を外した際の本実施の形態に係るラベル用ラミネート装置１を挿入口４の側から示した側面図であって、ラミネート小巻１１のラミネートフィルムＦのテープ幅と挿入口４の幅Ｗとの相関関係を示したものである。
【００４６】
図２２（Ａ）（Ｂ）（Ｃ）で示すように、挿入口４の幅Ｗは、ラミネート小巻１１のラミネートフィルムＦのテープ幅に相関する。すなわち、図２２（Ａ）で示すように、ラミネート小巻１１のラミネートフィルムＦのテープ幅が９ｍｍの場合には、挿入口４の幅Ｗも９ｍｍとなる。図２２（Ｂ）で示すように、ラミネート小巻１１のラミネートフィルムＦのテープ幅が１２ｍｍの場合には、挿入口４の幅Ｗも１２ｍｍとなる。図２２（Ｃ）で示すように、ラミネート小巻１１のラミネートフィルムＦのテープ幅が１８ｍｍの場合には、挿入口４の幅Ｗも１８ｍｍとなる。
【００４７】
〔１０．まとめ〕
以上詳細に説明したように、本実施の形態に係るラベル用ラミネート装置１では、図３に示すように、回動軸１３にラミネート小巻１１を装入した状態でロック部１２を回動軸１３に取り付けると、回動軸１３から一対の圧着ローラ１４，１５までの範囲と一対の圧着ローラ１４，１５から本体ケース２の引出口５までの範囲で、ロック部１２の平板部４８（鉤部４４を含む）の表面が介在する。また、本体ケース２の挿入口４から一対の圧着ローラ１４，１５までの全範囲で、本体ケース２の「第１ガイド壁」を構成する長片ガイドリブ２１及び短片ガイドリブ２２とロック部１２の「第２ガイド壁」を構成する長片ガイドリブ４５及び短片ガイドリブ４６とが互いに向かい合うことにより、ガイド経路１０２を形成する。そして、本体ケース２の挿入口４に差し込まれたラベルＬをガイド経路１０２で一対の圧着ローラ１４，１５にまで導く。
【００４８】
従って、ロック部１２の平板部４８（鉤部４４を含む）の表面やガイド経路１０２によって、ラミネート小巻１１のラミネートフィルムＦ及びラベルＬを、その長尺方向で伸びきった状態で、且つ、その幅方向ですべることなく、本体ケース２内で移動させることができる。これにより、ラミネートフィルムＦとラベルＬが貼り合わされた際にできるラミネートフィルムＦとラベルＬのズレを抑えることができる。
【００４９】
また、本実施の形態に係るラベル用ラミネート装置１では、図３に示すように、本体ケース２の「第１ガイド壁」を、互いに対向する長片ガイドリブ２１と短片ガイドリブ２２の一組で構成するとともに、ロック部１２の「第２ガイド壁」を、互いに対向する長片ガイドリブ４５と短片ガイドリブ４６の一組で構成している。各長片ガイドリブ２１，４５は、各短片ガイドリブ２２，４６よりもラミネート小巻１１に近い側で、且つ、本体ケース２の挿入口４から一対の圧着ローラ１４，１５までの全範囲で、それぞれ立設されている。各短片部材２２，４６は、本体ケース２の挿入口４から各長片部材２１，４５にそれぞれ近づけながら立設されている。従って、より一層に、ラベルＬを、その長尺方向で伸びきった状態で、且つ、その幅方向ですべることなく、本体ケース２内で移動させることができる。
【００５０】
また、本実施の形態に係るラベル用ラミネート装置１では、図３に示すように、回動軸１３にラミネート小巻１１を装入した状態でロック部１２を回動軸１３に取り付けると、ラミネート小巻１１が存在する側（図面上側）とは反対の側（図面下側）にロック部１２の縁端片４７が配置されることにより、本体ケース２の挿入口４の一部をロック部１２の縁端片４７で閉塞する。これにより、本体ケース２の挿入口４の幅Ｗが、回動軸１３に装入されたラミネート小巻１１のラミネートフィルムＦの幅と同一となる（図２２参照）。よって、回動軸１３に装入されたラミネート小巻１１のラミネートフィルムＦの幅よりも大きな幅を有するラベルＬが本体ケース２の挿入口４に差し込まれることを防止する。従って、回動軸１３に装入されたラミネート小巻１１のラミネートフィルムＦを貼り合わせるのに適した幅のラベルＬをユーザが本体ケース２の挿入口４に差し込むように仕向けることができる。
【００５１】
〔１１．その他〕
尚、本発明は上記実施の形態に限定されるものでなく、その趣旨を逸脱しない範囲で様々な変更が可能である。
例えば、本体ケース２において、短片ガイドリブ２２を、挿入口４から一対のローラ保持部２３，２４付近にまで設けてもよい。但し、この場合には、ロック部１２においても、短片ガイドリブ４６を、縁端片４７から鉤部４４にまで設ける。
【００５２】
また、回動軸１３にロック部１２を取り付けたときに、一対の圧着ローラ１４，１５を鉤部４４で取り囲むことができれば、ロック部１２における鉤部４４の曲がり方向はどのようなものであってもよい。また、鉤部４４の先端が平板部４８と接していてもよい。
【産業上の利用可能性】
【００５３】
本発明は、ラミネート小巻に巻回されたテープ状のラミネートフィルムをラベルに貼り合わせる技術に適用し得る。
【図面の簡単な説明】
【００５４】
【図１】本発明の一実施形態に係るラベル用ラミネート装置を示した外観斜視図である。
【図２】蓋を外した際の同ラベル用ラミネート装置を示した外観斜視図である。
【図３】蓋を外した際の同ラベル用ラミネート装置を示した平面図である。
【図４】蓋を外した際の同ラベル用ラミネート装置を挿入口の側から示した側面図である。
【図５】蓋を外した際の同ラベル用ラミネート装置を引出口の側から示した側面図である。
【図６】本体ケースを示した平面図である。
【図７】本体ケースを挿入口の側から示した側面図である。
【図８】本体ケースを引出口の側から示した側面図である。
【図９】図６の線Ａ−Ａでの断面図である。
【図１０】図６の線Ｂ−Ｂでの断面図である。
【図１１】カッターの移動機構を示した平面図である。
【図１２】まな板の移動機構を示した平面図である。
【図１３】ロック部を示した正面図である。
【図１４】ロック部を示した背面図である。
【図１５】図１３の線Ｃ−Ｃでの断面図である。
【図１６】図１３の線Ｄ−Ｄでの断面図である。
【図１７】蓋を示した正面図である。
【図１８】蓋を示した背面図である。
【図１９】図１７の矢視Ｅから蓋を示した図である。
【図２０】図１７の矢視Ｇから蓋を示した図である。
【図２１】同ラベル用ラミネート装置が組み立てられた際の第１ガイド壁と第２ガイド壁の対向関係を示した図である。
【図２２】蓋を外した際の同ラベル用ラミネート装置を挿入口の側から示した側面図であって、ラミネート小巻のラミネートフィルムのテープ幅と挿入口の幅との相関関係を示したものである。
【符号の説明】
【００５５】
１  ラベル用ラミネート装置
２  本体ケース
４  挿入口
５  引出口
１１  ラミネート小巻
１２  ロック部
１３  回動軸
１４，１５  圧着ローラ
２１，２２  第１ガイド壁
４５，４６  第２ガイド壁
２１，４５  長片ガイドリブ
２２，４６  短片ガイドリブ
４７  縁端片
４８  平板部
Ｆ  テープ状のラミネートフィルム
Ｌ  ラベル
１０２  ガイド経路
【図１】
0004888372.tif 000002
【図２】
0004888372.tif 000003
【図３】
0004888372.tif 000004
【図４】
0004888372.tif 000005
【図５】
0004888372.tif 000006
【図６】
0004888372.tif 000007
【図７】
0004888372.tif 000008
【図８】
0004888372.tif 000009
【図９】
0004888372.tif 000010
【図１０】
0004888372.tif 000011
【図１１】
0004888372.tif 000012
【図１２】
0004888372.tif 000013
【図１３】
0004888372.tif 000014
【図１４】
0004888372.tif 000015
【図１５】
0004888372.tif 000016
【図１６】
0004888372.tif 000017
【図１７】
0004888372.tif 000018
【図１８】
0004888372.tif 000019
【図１９】
0004888372.tif 000020
【図２０】
0004888372.tif 000021
【図２１】
0004888372.tif 000022
【図２２】
0004888372.tif 000023